(57)【要約】【課題】集積回路デバイスは、少なくとも１つの入力を備えているタッチコントローラと、複数の出力を備えている液晶ディスプレイ（ＬＣＤ）コントローラと、複数の外部ピンを備えている外部インターフェースと、マルチプレクサとを備え、マルチプレクサは、第１のモードにおいて複数の外部ピンをＬＣＤコントローラの複数の出力と接続し、第２のモードにおいて複数の外部ピンのうちの少なくとも１つをタッチコントローラと接続するように動作可能である。
2017514157.tif 000002
【特許請求の範囲】
【請求項１】
集積回路デバイスであって、
少なくとも１つの入力を備えているタッチコントローラと、
複数の出力を備えている液晶ディスプレイ（ＬＣＤ）コントローラと、
複数の外部ピンを備えている外部インターフェースと、
マルチプレクサと
を備え、
前記マルチプレクサは、第１のモードにおいて前記複数の外部ピンを前記ＬＣＤコントローラの複数の出力と接続し、第２のモードにおいて前記複数の外部ピンのうちの少なくとも１つを前記タッチコントローラと接続するように動作可能である、集積回路デバイス。
【請求項２】
前記マルチプレクサを制御するように動作可能な中央処理ユニットをさらに備えている、請求項１に記載の集積回路デバイス。
【請求項３】
前記マルチプレクサを制御するように動作可能な状態機械をさらに備えている、請求項１に記載の集積回路デバイス。
【請求項４】
前記マルチプレクサを制御するように動作可能な状態機械をさらに備えている、請求項２に記載の集積回路デバイス。
【請求項５】
前記集積回路デバイスは、マイクロコントローラである、請求項２に記載の集積回路デバイス。
【請求項６】
前記第２のモードで動作している場合、前記複数の外部ピンの一部は、一緒に接続され、前記タッチコントローラの少なくとも１つの入力と接続されている、請求項１に記載の集積回路デバイス。
【請求項７】
前記タッチコントローラは、容量式分圧器（ＣＶＤ）コントローラである、請求項１に記載の集積回路デバイス。
【請求項８】
前記ＣＶＤコントローラと、前記少なくとも１つの外部ピンとに結合されているアナログ／デジタルコンバータ（ＡＤＣ）をさらに備えている、請求項７に記載の集積回路デバイス。
【請求項９】
前記ＡＤＣは、前記ＡＤＣと結合されているサンプリングコンデンサと、前記サンプリングコンデンサおよび前記ＣＶＤコントローラと結合されている制御可能ドライバとを備えている、請求項８に記載の集積回路デバイス。
【請求項１０】
前記ＣＶＤコントローラと結合されているデジタル／アナログ（ＤＡＣ）コンバータをさらに備え、前記ＡＤＣは、前記複数の外部ピンのうちの第１のものと結合され、前記ＤＡＣは、前記複数の外部ピンのうちの第２のものと接続されている、請求項８に記載の集積回路デバイス。
【請求項１１】
前記ＬＣＤドライバおよび前記ＣＶＤコントローラは、同期させられている、請求項７に記載の集積回路デバイス。
【請求項１２】
前記タッチコントローラは、充電時間測定ユニット、弛張発振器、またはインピーダンス移相センサを備えている、請求項１に記載の集積回路デバイス。
【請求項１３】
セグメント電極およびコモン電極を有する液晶ディスプレイをさらに備え、前記セグメント電極およびコモン電極は、各々、前記集積回路デバイスの外部ピンと結合されている、請求項１に記載の集積回路デバイスを備えているシステム。
【請求項１４】
前記液晶ディスプレイのセグメント電極およびコモン電極は、前記集積回路デバイスによって制御される、請求項１に記載の集積回路デバイスを備えている液晶ディスプレイ。
【請求項１５】
液晶ディスプレイ（ＬＣＤ）と結合されている集積回路デバイスを動作させる方法であって、
前記集積回路デバイスは、少なくとも１つの入力を備えているタッチコントローラと、複数の出力を備えている液晶ディスプレイ（ＬＣＤ）コントローラと、前記ＬＣＤのセグメント電極およびコモン電極と結合されている複数の外部ピンを備えている外部インターフェースと、第１のモードにおいて前記複数の外部ピンを前記ＬＣＤコントローラの複数の出力と接続し、第２のモードにおいて前記複数の外部ピンのうちの少なくとも１つを前記タッチコントローラと接続するように動作可能なマルチプレクサとを備え、
前記方法は、
ａ）前記マルチプレクサを用いて、最初の期間、前記セグメント電極および前記コモン電極を前記ＬＣＤコントローラと接続することと、
ｂ）その次の期間、前記タッチコントローラの少なくとも１つの入力を前記セグメント電極およびコモン電極のうちの少なくとも１つと接続することと
を含む、方法。
【請求項１６】
ステップａ）およびｂ）を繰り返すことをさらに含む、請求項１５に記載の方法。
【請求項１７】
前記集積回路デバイスの中央処理ユニットによって、前記マルチプレクサを制御することを含む、請求項１５に記載の方法。
【請求項１８】
前記集積回路デバイスの状態機械によって、前記マルチプレクサを制御することを含む、請求項１５に記載の方法。
【請求項１９】
前記タッチコントローラは、容量式分圧器法を使用して、前記ＬＣＤのタッチが行われたかどうかを決定する、請求項１５に記載の方法。
【請求項２０】
前記ＬＣＤコントローラと前記ＣＶＤコントローラとを同期させることをさらに含む、請求項１９に記載の方法。
【請求項２１】
前記タッチコントローラは、充電時間測定ユニット、弛張発振器、またはインピーダンス移相センサを備えている、請求項１５に記載の方法。
【発明の詳細な説明】
【技術分野】
【０００１】
本発明は、ヒューマンデバイスインターフェースを伴うコントローラに関し、具体的には、ディスプレイコントローラに関する。
【背景技術】
【０００２】
マイクロコントローラまたはチップ上の他のシステム等のコントローラは、依然として、多くの場合、外部構成要素、特に、ヒューマンデバイスインターフェースとインターフェースをとることを要求する。そのようなヒューマンデバイスインターフェースの典型的例は、液晶ディスプレイ（ＬＣＤ）および容量式タッインターフェースである。ＬＣＤ、特に、セグメント化されたＬＣＤおよび容量式タッチインターフェースは、多くの場合、それぞれの電子コントローラと結合するために、多くのピンを要求する。
【発明の概要】
【課題を解決するための手段】
【０００３】
少数の必要なピンを伴うヒューマンデバイスインターフェースを伴うコントローラの必要性がある。
【０００４】
ある実施形態によると、集積回路デバイスは、少なくとも１つの入力を備えているタッチコントローラと、複数の出力を備えている液晶ディスプレイ（ＬＣＤ）コントローラと、複数の外部ピンを備えている外部インターフェースと、第１のモードにおいて複数の外部ピンをＬＣＤコントローラの複数の出力と接続し、第２のモードにおいて複数の外部ピンのうちの少なくとも１つをタッチコントローラと接続するように動作可能なマルチプレクサとを備え得る。
【０００５】
集積回路デバイスのさらなる実施形態によると、集積回路デバイスはさらに、マルチプレクサを制御するように動作可能な中央処理ユニットを備え得る。集積回路デバイスのさらなる実施形態によると、集積回路デバイスはさらに、マルチプレクサを制御するように動作可能な状態機械を備え得る。さらなる実施形態によると、集積回路デバイスは、マイクロコントローラである。さらなる実施形態によると、第２のモードで動作している場合、複数の外部ピンの一部は、一緒に接続され、タッチコントローラの少なくとも１つの入力と接続されることができる。さらなる実施形態によると、タッチコントローラは、容量式分圧器（ＣＶＤ）コントローラであることができる。集積回路デバイスのさらなる実施形態によると、集積回路デバイスはさらに、ＣＶＤコントローラと、少なくとも１つの外部ピンとに結合されているアナログ／デジタルコンバータ（ＡＤＣ）を備え得る。さらなる実施形態によると、ＡＤＣは、ＡＤＣと結合されているサンプリングコンデンサと、サンプリングコンデンサおよびＣＶＤコントローラと結合されている制御可能ドライバとを備え得る。集積回路デバイスのさらなる実施形態によると、集積回路デバイスはさらに、ＣＶＤコントローラと結合されているデジタル／アナログ（ＤＡＣ）コンバータを備え得、ＡＤＣは、複数の外部ピンのうちの第１のものと結合され、ＤＡＣは、複数の外部ピンのうちの第２のものと接続される。さらなる実施形態によると、ＬＣＤドライバおよびＣＶＤコントローラは、同期させられることができる。さらなる実施形態によると、タッチコントローラは、充電時間測定ユニット、弛張発振器、またはインピーダンス移相センサを備え得る。
【０００６】
別の実施形態によると、システムは、各々、集積回路デバイスの外部ピンと結合されているセグメント電極およびコモン電極を有する液晶ディスプレイを有する液晶ディスプレイをさらに備えている、前述のような集積回路デバイスを備え得る。
【０００７】
別の実施形態によると、システムは、液晶ディスプレイのセグメント電極およびコモン電極は、集積回路デバイスによって制御される、前述のような集積回路デバイスを備え得る。
【０００８】
さらに別の実施形態によると、液晶ディスプレイ（ＬＣＤ）と結合されている集積回路デバイスを動作させる方法が、提供されることができ、集積回路デバイスは、少なくとも１つの入力を備えているタッチコントローラと、複数の出力を備えている液晶ディスプレイ（ＬＣＤ）コントローラと、ＬＣＤのセグメント電極およびコモン電極と結合されている複数の外部ピンを備えている外部インターフェースと、第１のモードにおいて複数の外部ピンをＬＣＤコントローラの複数の出力と接続し、第２のモードにおいて複数の外部ピンのうちの少なくとも１つをタッチコントローラと接続するように動作可能なマルチプレクサとを備え、本方法は、ａ）最初の期間、セグメント電極およびコモン電極を、マルチプレクサを用いて、ＬＣＤコントローラと接続することと、ｂ）その次の期間、タッチコントローラの少なくとも１つの入力とセグメント電極およびコモン電極のうちの少なくとも１つに接続することとを含み得る。
【０００９】
本方法のさらなる実施形態によると、本方法はさらに、ステップａ）およびｂ）を繰り返すことを含み得る。本方法のさらなる実施形態によると、マルチプレクサは、集積回路デバイスの中央処理ユニットによって制御されることができる。本方法のさらなる実施形態によると、マルチプレクサは、集積回路デバイスの状態機械によって制御されることができる。本方法のさらなる実施形態によると、タッチコントローラは、容量式分圧器法を使用して、ＬＣＤのタッチが行われたかどうかを決定し得る。本方法のさらなる実施形態によると、ＬＣＤコントローラとＣＶＤコントローラとは、同期させられることができる。本方法のさらなる実施形態によると、タッチコントローラは、充電時間測定ユニット、弛張発振器、またはインピーダンス移相センサを備え得る。
【図面の簡単な説明】
【００１０】
【図１】図１は、ある実施形態による、ＬＣＤディスプレイおよびマイクロコントローラを伴うシステムを示す。
【図２Ａ】図２ａおよび２ｂは、種々の実施形態による、コントローラデバイスを伴うシステムのより詳細なブロック図を示す。
【図２Ｂ】図２ａおよび２ｂは、種々の実施形態による、コントローラデバイスを伴うシステムのより詳細なブロック図を示す。
【図３】図３は、コモンまたはセグメントのいずれかをセンサまたは保護電極として選択することを可能にする、拡張ブロック図の詳細を示す。
【図４】図４は、ＬＣＤのための例示的センサパッド配列を示す。
【発明を実施するための形態】
【００１１】
種々の実施形態によると、例えば、安価なセグメント化された液晶ディスプレイ（ＬＣＤ）と、低コストボタンベースの容量式タッチ入力とを使用して、タッチスクリーンディスプレイとインターフェースをとることが可能なコントローラが、提供されることができる。図１は、外部ＬＣＤ２００と結合される統合されたヒューマンデバイスインターフェースを伴うマイクロコントローラ１１０の実施形態を伴うシステム１００を示す。ＬＣＤ２００は、例えば、時間または他の値を表示するように配列される、複数の７セグメントの主ディスプレイ数字２１０と、例えば、実数または整数として任意の他のタイプの値を示すための二次的７セグメントの数字２４０とを備え得る。棒グラフ等のグラフィカル記号２２０、２３０および他のフィールド２５０が、ある動作モードまたは機能を示すために使用され得る。ディスプレイ２００は、特定のコントローラを伴わない低コストディスプレイであり、したがって、統合されたＬＣＤコントローラ１２０を伴うマイクロコントローラ１１０によって直接駆動されなければならない。
【００１２】
各ディスプレイセグメント電極は、したがって、マイクロコントローラ１１０への接続のために、外部からアクセス可能である。例えば、図１に示されるように、ＬＣＤは、ｍ個のセグメント電極のためのｍ個の外部ピンを備え得る。示されるように、ＬＣＤ２００はさらに、複数のｎ個のコモン接続を備え得、関連付けられた内部コモン電極は、それぞれのＬＣＤセグメント電極のための対電極である。例えば、ＬＣＤ２００は、それぞれ、７セグメントの数字２１０に関連付けられたコモン電極２１５、２１７、棒グラフ２３０に関連付けられたコモン電極２３５、２３７、ディスプレイセグメント２４０および２５０に関連付けられたコモン電極２４５および２５５への外部接続を提供し得る。しかしながら、他の実施形態によると、単一コモン電極または複数のコモン電極が、提供され得る。図１は、コモン電極のいくつかの例を示し、２つ以上のコモン電極が、複数のセグメントまたはセグメント群のために提供される。例えば、グラフィック記号２２０および２６０は、単一のコモン電極（図示せず）を共有し得る。しかしながら、複数のコモンセグメントの提供は、特に、セグメントおよびコモンが、種々の実施形態に従って、容量式タッチ制御のための電極としても使用される場合、有益であり得る。種々の実施形態によると、セグメント電極および／またはコモン電極は、それらの一次ＬＣＤ機能に加え、タッチ感知のために使用され、したがって、ＬＣＤは、ディスプレイをタッチするかまたはそれに接近することによる直接ユーザ入力機能性を可能にするために使用されることができる。
【００１３】
コントローラ１１０は、例えば、中央処理ユニット１４０を伴うマイクロコントローラであることができる。マイクロコントローラ１１０はさらに、統合されたＬＣＤコントローラ１２０、例えば、状態機械と、統合されたタッチコントローラ１３０とを備え得る。加えて、専用マルチプレクサ１５０が提供され、例えば、ＣＰＵ１４０の制御下、コモンおよび／またはセグメント接続のための外部ピンをＬＣＤコントローラ１２０またはタッチコントローラ１３０のいずれかに結合することを可能にする。しかしながら、いくつかの実施形態によると、タッチ検出とＬＣＤドライバ機能との間の自動時分割機能が実装され、ＣＰＵによるマルチプレクサの能動的制御を要求しないこともある。図１に示されるように、例えば、単純状態機械１６０が、その切り替え機能を提供するために提供され得る。状態機械１６０はまた、外部ピンに接続された場合、それらのそれぞれの機能を自動的に行うＬＣＤコントローラ１２０およびタッチコントローラ１３０にそれぞれの信号を提供するであろう。タッチ機能が検出される度に、タッチコントローラは、次いで、単に、関連付けられた割り込みを開始し得る。したがって、ＣＰＵは、ＬＣＤ機能およびタッチ認識が維持されている間、自由に他の機能を行うであろう。
【００１４】
いくつかの実施形態によると、ＬＣＤディスプレイの選択された電極のみ、タッチ感知のために使用され得る。例えば、数字に関連付けられた全セグメント電極がマルチプレクサによって並列に結合され、タッチコントローラの単一入力と結合され得る一方、これらの電極は、ＬＣＤドライバ１２０と接続された場合と、別個に駆動される。タッチコントローラによって適用される測定方法に応じて、コモン電極またはセグメント電極をタッチセンサとしてのみ使用することが、より有益であり得る。他の実施形態によると、セグメント電極およびコモン電極の組み合わせが、タッチ感知のために使用され得る。
【００１５】
ある実施形態によると、コントローラが、ＬＣＤを直接駆動し、ディスプレイの容量式タッチを評価するために提供される。コントローラは、ディスプレイのタッチを評価し、例えば、ホストにフィードされる、またはコントローラ内でさらに処理され得る結果として生じるイベント信号を提供するように構成されることができる。この目的を達成するために、コントローラは、例えば、容量式分圧器（ＣＶＤ）コントローラ等のタッチコントローラ１３０、充電時間測定ユニットＣＴＭＵ、弛張発振器、インピーダンス移相センサ、または当技術分野において公知の容量式タッチを決定する任意の他の方法を備え得る。
【００１６】
図２ａおよび２ｂは、ＬＣＤのセグメント電極およびコモン電極をそれぞれのＬＣＤドライバ１２０およびタッチコントローラ１３０と結合するマルチプレクサを形成するスイッチ回路の可能な実装のさらなる詳細図を示す。図２ａおよび２ｂは、より分かりやすい概要を提供するために、単一の７セグメントのディスプレイのみを示す。しかしながら、任意の数のディスプレイ要素が、種々の実施形態に従って、使用され得る。ここでは、７セグメントのディスプレイは、７セグメント電極２１１および少数点セグメント電極と、２つの別個のコモン電極２１５および２１７とを提供する。別の一般的コモン電極が、少数点に関連付けられ得る。しかしながら、コモン電極２１５はまた、いくつかの実施形態によると、少数点を包含するために、より大きく設計され得る。
【００１７】
マイクロコントローラ１１０は、第１のマルチプレクサ３１０を備え、第１のマルチプレクサ３１０は、セグメント電極２１１を、ＬＣＤドライバ１２０と結合すること、または、別のマルチプレクサ３２０を通してデジタル／アナログコンバータ３８０と結合することを可能にし、デジタル／アナログコンバータ３８０は、ＣＶＤタッチコントローラ１３０によって制御される。同様に、コモン電極は、マルチプレクサ３３０を通してＬＣＤドライバ１２０と結合されるか、または別のマルチプレクサ３４０を通して結合されることができる。図２ａは、一般的タッチ検出システムを伴うブロック図を示す。ここでは、マルチプレクサ３４０の出力は、タッチ検出システム３９０と結合される。図２ｂは、タッチ検出システムが容量式分圧器システムによって実装される実施形態を示し、マルチプレクサ３４０の出力は、サンプリングコンデンサ３６０と結合される。サンプリングコンデンサ３６０はさらに、アナログ／デジタルコンバータ（ＡＤＣ）３５０と、コンデンサ３６０を事前充電または放電することを可能にするドライバ３７０とに結合される。ＡＤＣ３５０およびドライバ３７０は、タッチコントローラ１３０によって制御される。
【００１８】
システムは、多重化ＬＣＤディスプレイの走査を、ＣＶＤコントローラ１３０、ＡＤＣ３５０、ドライバ３７０、およびＤＡＣ３８０によって形成されるＣＶＤ容量式タッチ周辺機器、または任意の他のタッチ検出システム３９０に同期させるように設計されるであろう。一実施形態によると、タッチ認識は、図２ａおよび２ｂの実施例に示されるように、１つ以上の選択されるコモン電極もしくは１つ以上のセグメント電極を使用することによって行われることができる。例えば、あるモードでは、ＣＶＤ測定のために、１つの電極２１５が使用され得るか、または複数のコモン電極２１５、２１７が一緒に切り替えられ、使用され得る。ＣＶＤ測定では、図２ｂに示されるように、本システムは、例えば、コモン電極によって形成される外部コンデンサを所定の電圧まで充電すること、および内部コンデンサ３６０を放電させることを可能にする。所定の時間後、両容量は、直列に結合され、コンデンサは、分圧器を形成し、ある電圧が、外部コンデンサの値に応じて、内部コンデンサ３６０上に確立するであろう。この電圧は、次いで、ＡＤＣ３５０によって測定され、タッチが行われたかどうかを決定することができる。測定はまた、内部コンデンサ３６０が充電され、外部コンデンサが放電される、逆配列で行われることもできる。この機能を行うためのそれぞれのスイッチが、存在するが、図２には示されない。ドライバ３７０は、外部または内部コンデンサを充電するために使用されることができる。
【００１９】
種々の実施形態によると、ＬＣＤのコモン電極またはセグメント電極のいずれかは、タッチ認識システム内で使用されることができる。コモン電極が使用される場合、セグメント電極は、寄生容量を形成し、その逆も同様である。さらに、任意の他方の使用されない電極が、そのような寄生容量を形成し得る。使用されていないセグメントおよび／またはコモンによって形成されるこれらの寄生容量は、ＣＶＤ測定に悪影響を及ぼす。故に、さらなる実施形態によると、ＬＣＤの使用されていない電極または使用されていない電極のうちの少なくとも一部は、例えば、内部コンデンサ３６０と直列に接続された後、センサ電極上に確立されるであろう電圧に近いまたはそれと等しい電圧で駆動されることができる。したがって、寄生容量効果は、最小化される。この電圧は、既知であるか、または各測定後に動的に決定され得るかのいずれかである。代替として、固定電圧、例えば、供給量の半分またはドライバ３７０の出力電圧の半分が、使用されていない電極のためのバイアス電圧として使用され得る。図２は、コモン電極２１５、２１７が、センサ電極として使用され、セグメント電極２１１が、システムがタッチ認識モードにあるとき、デジタル／アナログコンバータ３８０によって駆動され得る、保護電極として使用される、実施例を示す。コントローラデバイスはさらに、図３に示されるように、どの電極（コモンまたはセグメント）が感知電極として使用され、どの電極が保護電極として使用されるかを選択することを可能にする追加のマルチプレクサ４１０、４２０を備えていることができる。他の選択マルチプレクサが、いずれかの機能のために、ある電極を個々に選択するために使用され得る。好ましくは、感知電極を包囲する使用されていない電極は、一緒に切り替えられ得、ＤＡＣ３８０によって駆動され、感知電極の周囲に保護リングを形成し得る。図３は、図２とその他の点では同一要素を示し、破線は、図３に示されない要素への接続を示す。
【００２０】
さらに、いくつかの実施形態によると、ＬＣＤコントローラ１２０とＣＶＤコントローラ１３０との間の同期接続Ｓｙｎｃが、図２に示されるように、提供され得る。これは、タッチセンサとしてのＬＣＤコモンまたはセグメントの使用を可能にする。前述のように、ＬＣＤセグメントは、ＬＣＤコモンに対して、大寄生容量を有し、その逆も同様であるので、保護リングタイプの駆動が、コモンをタッチセンサとして使用するシステムに対してセグメントを駆動させるために採用され、セグメントをタッチセンサとして使用するシステムに対して、逆も同様であることが必要または有益であり得る。走査をタッチ検出に同期させ、システム間の競合を防止することも必要となるであろう。
【００２１】
ＬＣＤ内の種々の電極は、タッチコントローラ１３０によって検出され得る、ジェスチャを含む種々のタッチ機能を可能にし得る。例えば、ユーザが、７セグメントの数字の上部から底部に指を引く場合、その数字は、増加または減少させられることができる。ユーザが、最左桁から右に引く場合、値全体が、桁を通してシフトダウンし、例えば、最右値が「抜け落ち」得る。さらなる実施形態によると、ユーザが、最右桁から左にその指を引く場合、値は、桁を通してシフトアップし、最右値は、ゼロで埋められて戻り得る。他のジェスチャデコードが、実装され得る。
【００２２】
機能のさらなる実施例は、図４を参照して説明される。図４の上部エリアに示されるように、個々のインジケータ（ＦＩ、Ｆ２、Ｆ３、およびＦ４）に対して、ユーザが、インジケータの上で透明容量式タッチセンサをタッチすると、タッチ検出器周辺機器またはコントローラ内で起動するソフトウェアが、タッチを登録し、インジケータの状態をトグルする。既存のＬＣＤセグメントがセンサ要素として使用される場合、多重化が、ディスプレイおよび感知機能性を同時に提供するために使用される。任意のタイプのフリッカを回避するために、切り替えは、ヒトの眼に見えないように十分に高速で行われることができる。
【００２３】
スライダに対して、コモン電極は、図４の底部エリアに示されるように形成され得る。ユーザが、棒グラフにわたって三角形コモン電極２３０、２３５の上方のエリアにタッチすると、両電極２３５、２３７内の相対的容量シフトが、測定されることができ、その比率が、ディスプレイ内で活性化されるべきセグメントの数を設定するために使用される。種々の実施形態は、特に、電極のサイズおよび形状に対して、示される実施例に制限されない。むしろ、任意のタイプ、サイズ、および形状のコモン電極が、ディスプレイ機能が維持される限り、ＬＣＤ内に実装され得る。さらに、７セグメントの数字が２つの関連付けられたコモン電極を示すが、種々の実施形態は、その数のコモン電極に限定されない。したがって、前述のように、２つ以上のコモン電極が、低コストＬＣＤディスプレイ内に提供され得る。ドットマトリクスＬＣＤも、使用され得、複数のドットセグメントが、並列に接続され、タッチセンサを形成し得る。したがって、個々のセンサが、それぞれの切り替えユニットによって形成され得る。故に、コントローラは、単純垂直または水平移動より多くの移動を検出可能であり得る。
【００２４】
種々の実施形態は、単純なタッチベースの入力インターフェースを提供することによって、低コストソリューションと、直感的インターフェースとを提供する。したがって、例えば、マイクロコントローラ内に提供されるような入力のための既存の周辺機器が、使用されることができる。種々の実施形態はまた、単純な搭載およびインターフェースを提供する。前述のように、容量式タッチセンサパッドがＬＣＤディスプレイ内に提供される、またはＬＣＤディスプレイの背面に追加されることができる。特に、ある実施形態によると、透明金属層が、従来の技術を用いてパターン化され、ＬＣＤディスプレイ内にそれぞれのタッチセンサエリアを形成することができる。
【図１】
2017514157.tif 000003
【図２Ａ】
2017514157.tif 000004
【図２Ｂ】
2017514157.tif 000005
【図３】
2017514157.tif 000006
【図４】
2017514157.tif 000007
【国際調査報告】
2017514157.tif 000008
2017514157.tif 000009
2017514157.tif 000010